(57)【要約】【課題】発表用電子文書の複数ページの画像を１画像にまとめて出力するに際して、そのページの発表時間に応じて、画像の割り付けを行うことができるようにした画像処理システムを提供する。【解決手段】画像処理システムの発表時間取得手段は、発表用電子文書のページ毎に発表時間を取得し、割付手段は、前記発表時間取得手段によって取得した発表時間に応じて、前記発表用電子文書の複数ページの画像を１画像にまとめて出力する際の割り付けを行い、出力手段は、前記割付手段によって割り付けられた画像を出力する。【選択図】図１
2008035384.tif 000002
【特許請求の範囲】
【請求項１】
発表用電子文書のページ毎に発表時間を取得する発表時間取得手段と、
前記発表時間取得手段によって取得した発表時間に応じて、前記発表用電子文書の複数ページの画像を１画像にまとめて出力する際の割り付けを行う割付手段と、
前記割付手段によって割り付けられた画像を出力する出力手段
を具備することを特徴とする画像処理システム。
【請求項２】
前記発表用電子文書は、ページに対して発表時間に関する属性を有しており、
前記発表時間取得手段は、前記発表用電子文書の発表時間に関する属性を取得する
ことを特徴とする請求項１に記載の画像処理システム。
【請求項３】
前記発表用電子文書を用いて行われた発表について、ページ毎にその発表時間を計測する発表時間計測手段と、
前記発表時間取得手段は、前記発表時間計測手段によって計測された発表時間を取得する
ことを特徴とする請求項１に記載の画像処理システム。
【請求項４】
発表用電子文書を用いて行われた発表について、ページ毎にその発表の経過状況を記録する経過状況記録手段と、
前記経過状況記録手段に記録された経過状況に応じて、前記発表用電子文書のページ毎に重要度を検知する重要度検知手段と、
前記重要度検知手段によって検知された重要度に応じて、前記発表用電子文書の複数ページの画像を１画像にまとめて出力する際の割り付けを行う割付手段と、
前記割付手段によって割り付けられた画像を出力する出力手段
を具備することを特徴とする画像処理システム。
【請求項５】
前記重要度検知手段は、前記発表用電子文書の各ページの発表時の発言に関する情報から重要度を検知する
ことを特徴とする請求項４に記載の画像処理システム。
【請求項６】
前記割付手段は、１画像にまとめて出力する画像間の前後関係を表現する形態で割り付けること
を特徴とする請求項１、２、３、４または５に記載の画像処理システム。
【請求項７】
コンピュータに、
発表用電子文書のページ毎に発表時間を取得する発表時間取得機能と、
前記発表時間取得機能によって取得した発表時間に応じて、前記発表用電子文書の複数ページの画像を１画像にまとめて出力する際の割り付けを行う割付機能と、
前記割付機能によって割り付けられた画像を出力する出力機能
を実現させることを特徴とする画像処理プログラム。
【請求項８】
コンピュータに、
発表用電子文書を用いて行われた発表について、ページ毎にその発表の経過状況を記録する経過状況記録機能と、
前記経過状況記録機能に記録された経過状況に応じて、前記発表用電子文書のページ毎に重要度を検知する重要度検知機能と、
前記重要度検知機能によって検知された重要度に応じて、前記発表用電子文書の複数ページの画像を１画像にまとめて出力する際の割り付けを行う割付機能と、
前記割付機能によって割り付けられた画像を出力する出力機能
を実現させることを特徴とする画像処理プログラム。
【発明の詳細な説明】
【技術分野】
【０００１】
本発明は、画像処理システムおよび画像処理プログラムに関する。
【背景技術】
【０００２】
会議、発表等では、プレゼンテーション用ソフトウェアが使用されている。そのプレゼンテーション用ソフトウェアを用いて作成された資料などを印刷するときに、各スライド（ページ）は同じ大きさで印刷される。例えば、用紙１枚に４ページを印刷することを指定したならば、４枚のスライドが均等に４分の１の大きさになりプリントされる。
これらに関する技術として、例えば、特許文献１には、ユーザの介入を必要とせずにディジタル画像から印画を作成するときにインテリジェントな決定を行うことができる自動ディジタルイメージングアルゴリズムを提供することを目的とし、ディジタル画像から作成される印画の１つ以上の属性を変更する方法において、印刷属性値は画像の重要度、関心度又は注目度の決定に基づいてディジタル画像について計算され、結果として得られる印刷属性値は画像から作成される印画の印刷属性を制御するために用いられ、印刷属性値は、顕著性値又はアピール性値から導出され、アピール性値はそれ自体によって得られる各画像の評価であり、顕著性値はグループのうちの他の画像に関連した各画像についての評価であり、典型的な実施例では、印刷属性は、画像から作成される印画の数、画像から作成される印画の寸法、又は、画像のために用いられる倍率であることが開示されている。
【特許文献１】特開２００２−１５８８７０号公報
【発明の開示】
【発明が解決しようとする課題】
【０００３】
本発明は、このような背景技術の状況の中でなされたもので、発表用電子文書の複数ページの画像を１画像にまとめて出力するに際して、そのページの発表時間または重要度に応じて、画像の割り付けを行うことができるようにした画像処理システムおよび画像処理プログラムを提供することを目的としている。
【課題を解決するための手段】
【０００４】
かかる目的を達成するための本発明の要旨とするところは、次の各項の発明に存する。
［１］  発表用電子文書のページ毎に発表時間を取得する発表時間取得手段と、
前記発表時間取得手段によって取得した発表時間に応じて、前記発表用電子文書の複数ページの画像を１画像にまとめて出力する際の割り付けを行う割付手段と、
前記割付手段によって割り付けられた画像を出力する出力手段
を具備することを特徴とする画像処理システム。
【０００５】
［２］  前記発表用電子文書は、ページに対して発表時間に関する属性を有しており、
前記発表時間取得手段は、前記発表用電子文書の発表時間に関する属性を取得する
ことを特徴とする［１］に記載の画像処理システム。
【０００６】
［３］  前記発表用電子文書を用いて行われた発表について、ページ毎にその発表時間を計測する発表時間計測手段と、
前記発表時間取得手段は、前記発表時間計測手段によって計測された発表時間を取得する
ことを特徴とする［１］に記載の画像処理システム。
【０００７】
［４］  発表用電子文書を用いて行われた発表について、ページ毎にその発表の経過状況を記録する経過状況記録手段と、
前記経過状況記録手段に記録された経過状況に応じて、前記発表用電子文書のページ毎に重要度を検知する重要度検知手段と、
前記重要度検知手段によって検知された重要度に応じて、前記発表用電子文書の複数ページの画像を１画像にまとめて出力する際の割り付けを行う割付手段と、
前記割付手段によって割り付けられた画像を出力する出力手段
を具備することを特徴とする画像処理システム。
【０００８】
［５］  前記重要度検知手段は、前記発表用電子文書の各ページの発表時の発言に関する情報から重要度を検知する
ことを特徴とする［４］に記載の画像処理システム。
【０００９】
［６］  前記割付手段は、１画像にまとめて出力する画像間の前後関係を表現する形態で割り付けること
を特徴とする［１］、［２］、［３］、［４］または［５］に記載の画像処理システム。
【００１０】
［７］  コンピュータに、
発表用電子文書のページ毎に発表時間を取得する発表時間取得機能と、
前記発表時間取得機能によって取得した発表時間に応じて、前記発表用電子文書の複数ページの画像を１画像にまとめて出力する際の割り付けを行う割付機能と、
前記割付機能によって割り付けられた画像を出力する出力機能
を実現させることを特徴とする画像処理プログラム。
【００１１】
［８］  コンピュータに、
発表用電子文書を用いて行われた発表について、ページ毎にその発表の経過状況を記録する経過状況記録機能と、
前記経過状況記録機能に記録された経過状況に応じて、前記発表用電子文書のページ毎に重要度を検知する重要度検知機能と、
前記重要度検知機能によって検知された重要度に応じて、前記発表用電子文書の複数ページの画像を１画像にまとめて出力する際の割り付けを行う割付機能と、
前記割付機能によって割り付けられた画像を出力する出力機能
を実現させることを特徴とする画像処理プログラム。
【発明の効果】
【００１２】
本発明にかかる画像処理システムおよび画像処理プログラムによれば、本構成を有していない場合に比較して、発表用電子文書の複数ページの画像を１画像にまとめて出力するに際して、そのページの発表時間または重要度に応じて、画像の割り付けを行うことができるようになる。これによって、その出力された結果を見る者にとっての利便性を高めることができる。
【発明を実施するための最良の形態】
【００１３】
以下、図面に基づき本発明の好適な各種の実施の形態を説明する。
図１は、第１の実施の形態の概念的なモジュール構成図を示している。
なお、モジュールとは、一般的に論理的に分離可能なソフトウェア、ハードウェア等の部品を指す。したがって、本実施の形態におけるモジュールはプログラムにおけるモジュールのことだけでなく、ハードウェア構成におけるモジュールも指す。それゆえ、本実施の形態は、プログラム、システムおよび方法の説明をも兼ねている。また、モジュールは機能にほぼ一対一に対応しているが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散または並列環境におけるコンピュータによって１モジュールが複数コンピュータで実行されてもよい。また、以下、「接続」とは物理的な接続の他、論理的な接続を含む。
また、システムとは、複数のコンピュータ、ハードウェア、装置等がネットワーク等で接続されて構成されるほか、１つのコンピュータ、装置等によって実現される場合も含まれる。
以下、出力として、プリントアウト（印刷）を主に例示して説明する。
【００１４】
第１の実施の形態は、図１に示すように、文書記憶モジュール１１、発表時間取得モジュール１２、印刷レイアウト決定モジュール１３、出力モジュール１４を有している。文書記憶モジュール１１は、発表時間取得モジュール１２よりアクセスされ、発表時間取得モジュール１２により取得した結果を印刷レイアウト決定モジュール１３へ渡し、印刷レイアウト決定モジュール１３は出力のレイアウトを決定し、出力モジュール１４はその決定されたレイアウトに従って出力を行う。
文書記憶モジュール１１は、発表用電子文書を記憶するものである。そして、その発表用電子文書の各ページ毎に発表時間を記憶している。具体的には、例えば、発表用電子文書の属性としてページ毎の発表時間が設定されているものである。
発表時間取得モジュール１２は、文書記憶モジュール１１にアクセスし、発表用電子文書の各ページに設定されている発表時間を取得する。具体的には、例えば、発表用電子文書の各ページの属性として設定されている発表時間を取得する。
印刷レイアウト決定モジュール１３は、発表時間取得モジュール１２によって取得した発表時間に応じて、発表用電子文書の複数ページの画像を１画像にまとめて出力する際の割り付けを行う。例えば、各ページに設定された発表時間の全体の時間と各ページに設定されている発表時間から、時間比率をもとめ、基準となったページの大きさを決定する。出力用紙１枚に収まりきらない場合は、ページの発表時間から求めた割合の配分を変更し、各ページの大きさを再度計算するようにしてもよい。また、１画像にまとめて出力する画像間の前後関係を表現する形態で割り付けてもよい。
出力モジュール１４は、印刷レイアウト決定モジュール１３によって割り付けられた画像を出力する。つまり、プリンタから複数ページの画像を１画像にまとめてプリントアウトする。
【００１５】
次に第１の実施の形態における作用・働き（動作）を説明する。図２を用いて、第１の実施の形態における処理を説明する。
まず、操作者は、発表用電子文書に対して、プリントアウトの指定を行ったとする。そして、そのプリントアウト設定の際に、複数ページの画像を１画像にまとめて出力することを指定する。
ステップＳ２０１では、発表時間取得モジュール１２が文書記憶モジュール１１よりプリントアウトの対象となる発表用電子文書のデータを取得する。このデータを用いて、最終的にプリントアウトする画像を生成する。
ステップＳ２０２では、発表時間取得モジュール１２が発表用電子文書の各ページの属性として設定されている発表時間を取得する。
図３を用いて、文書記憶モジュール１１に記憶されている発表用電子文書の各ページの発表時間について説明する。発表用電子文書のページ毎の発表時間としては、例えばページの属性として「画面切り替えのタイミング」内の「自動的に切り替え」の時間の設定を行うことができる。それは、図３に示すように、「ページ１」は「２分」、「ページ２」は「３０秒」、「ページ３」は「１分」のように各ページ毎に発表時間がテーブルとして設定されている。この設定は、発表用電子文書を作成した者ができるようになっている。発表時間取得モジュール１２は、図３に示すようなテーブルにアクセスして、各ページ毎の発表時間を取得する。
【００１６】
ステップＳ２０３では、プリントアウトの際に操作者による設定を印刷レイアウト決定モジュール１３が受け取る。ここで、設定として、例えば、出力用紙１枚に何ページ分を出力するか、発表時間に応じた大きさにするか、各ページ間の関係を明示するか、その他出力用紙サイズ、部数等の一般的なプリントアウトの際に必要とするものがある。
ステップＳ２０４では、印刷レイアウト決定モジュール１３が、ステップＳ２０３で受け取った設定に応じて、出力用紙におけるレイアウトを決定する。
【００１７】
図４を用いて、発表用電子文書の複数ページの画像を１画像にまとめて出力する際の割り付け例を説明する。４ページ分の画像を１つの用紙にプリントアウトする場合、一般的な従来のレイアウトとしては、図４（Ａ）に示すように、１つの出力用紙４０に４ページ分の画像（ページ４１Ａ、４２Ａ、４３Ａ、４４Ａ）を均等の大きさにする（４ページを同じ縮小率で縮小）ものがある。本実施の形態では、図４（Ｂ）または図４（Ｃ）のようなレイアウトにしたプリントアウトが可能となる。つまり、図４（Ｂ）は発表時間に応じて、各ページの大きさを変更したものである。つまり、図３に示した発表時間に従って、ページ４１Ｂ（ページ１）はページ４２Ｂ（ページ２）の面積比で４倍、ページ４３Ｂ（ページ３）はページ４２Ｂ（ページ２）の面積比で２倍、のようにする。この各ページ間の面積比は、発表時間によって定める。実際の大きさとその配置は、１枚の出力用紙４０に収まるように定める。また、図４（Ｃ）は、ページ順に従って、矢印を付したものである。図４（Ｂ）のようなレイアウトにすると、大きさが統一されていないので、ページがどのような順番になっているのかが、見る人にとってよくわからない場合がある。これを改善するものであり、ページ４１Ｃからページ４２Ｃへ、ページ４２Ｃからページ４３Ｃへ、ページ４３Ｃからページ４４Ｃへとページが進むのが視覚的にわかるようになる。この矢印のかわりに、ページ番号等を付すようにしてもよい。
ステップＳ２０５では、出力モジュール１４が、ステップＳ２０４で設定されたレイアウトに従って、プリントアウトする。
【００１８】
図５、図６は第２の実施の形態の概念的なモジュール構成図を示している。
本実施の形態では、発表用電子文書を実際の発表の際に使用したことを利用してレイアウトを決定するものである。
図５は、第２の実施の形態が実現されるシステム例の全体的な概略ブロック図である。システム全体は、スクリーン２１、ＰＣ２２、プロジェクタ２３、発表経過取得サーバー２４、カメラ２５、マイク２６、プリンタ２７を有している。
発表会場等には、スクリーン２１、ＰＣ２２、プロジェクタ２３、発表経過取得サーバー２４、カメラ２５、マイク２６が設置されている。プリンタ２７は発表会場に設置されていてもよいし、発表経過取得サーバー２４と通信回線によって接続され遠隔地にあってもよい。発表用電子文書が記憶されているＰＣ２２を用いて操作者（発表者）が発表する。発表用電子文書の画像は、ＰＣ２２からプロジェクタ２３へ渡され、スクリーン２１に映し出される。その際、発表用電子文書の各ページは順番（または後戻りなどをまじえながら）にスクリーン２１に映し出される。
【００１９】
発表経過取得サーバー２４はＰＣ２２と接続されており、どの発表用電子文書の何ページがスクリーン２１に映し出されているかを取得することができる。
また、発表経過取得サーバー２４はカメラ２５Ａ、カメラ２５Ｂ、マイク２６Ａ、マイク２６Ｂが接続されている。つまり、会議の状況（音声、映像等）を記録することができる。マイク２６は会議の出席者毎（机毎）に設置されており、誰が発言したかが検知できる。カメラ２５は会議室の状況を撮影し、例えば撮影した映像に変化があったか等を検知できる。
つまり、発表経過取得サーバー２４は、例えば次のような発表経過状況を取得することができる。
（１）発表用電子文書の各ページの発表に要した時間の計測結果
（２）発表用電子文書の各ページの発表の際にマイク２６Ａ等を通した発言があったこと
（３）その発言の時間
（４）その発言は誰の発言であるか
（５）カメラ２５Ａ等によって撮影した映像に変化があったことによって、出席者に動きがあったこと
本実施例に限定されることなく、カメラ２５Ａ、カメラ２５Ｂ、マイク２６Ａ、マイク２６ＢはＰＣ２２に接続されていてもよくＰＣ２２から通信回線を通じて取得したデータを発表経過取得サーバー２４に送り発表経過状況を取得してもよい。
プリンタ２７は、発表経過取得サーバー２４によって取得された発表経過に応じて、その発表に用いられた発表用電子文書をプリントアウトする。
【００２０】
第２の実施の形態は、図６に示すように、発表経過状況記録モジュール５１、重要度検知モジュール５２、印刷レイアウト決定モジュール５３、出力モジュール１４を有している。発表経過状況記録モジュール５１は、重要度検知モジュール５２よりアクセスされ、重要度検知モジュール５２が検知した重要度を印刷レイアウト決定モジュール５３へ渡し、印刷レイアウト決定モジュール５３は出力のレイアウトを決定し、出力モジュール１４はその決定されたレイアウトに従って出力を行う。この構成は、プリンタ２７内にあるとする。なお、第１の実施の形態と同種の部位には同一符号を付し重複した説明を省略する。
【００２１】
発表経過状況記録モジュール５１は、発表用電子文書を記憶するものである。そして、その発表用電子文書の各ページ毎に発表経過状況を記憶している。具体的には、例えば、発表用電子文書の各ページ毎に、発表経過取得サーバー２４が取得した発表経過状況が記憶されている。
重要度検知モジュール５２は、発表経過状況記録モジュール５１にアクセスし、発表用電子文書の各ページ毎に記憶されている発表経過状況を取得する。そして、その発表経過状況から各ページの重要度を検知する。
例えば、以下のように重要度を検知する。
（１）発表用電子文書の各ページの発表に要した時間が長いものは短いものに比べて重要度が高いとする。
（２）発表用電子文書の各ページの発表の際に発言があったページは発言がなかったものに比べて重要度が高いとする。また、その回数が多いものを重要度が高いとしてもよい。
（３）その発言の時間が長いものを短いものに比べて重要度が高いとする。
（４）その発言は誰の発言であるかを用いて、組織における地位に基づいて重要度を判断してもよい。
（５）出席者に動きがあったものは動きがなかったものに比べて重要度が高いとする。
印刷レイアウト決定モジュール５３は、重要度検知モジュール５２によって検知された重要度に応じて、発表用電子文書の複数ページの画像を１画像にまとめて出力する際の割り付けを行う。例えば、発表時間の長いものは重要度が高いとして、プリントアウトする際の面積を大きくしてもよい。また、１画像にまとめて出力する画像間の前後関係を表現する形態で割り付けてもよい。
【００２２】
次に第２の実施の形態における作用・働き（動作）を説明する。図７を用いて、第２の実施の形態における処理を説明する。
ステップＳ７０１では、発表経過取得サーバー２４が発表用電子文書を用いた発表経過状況を取得する。その取得結果を発表経過状況記録モジュール５１に記憶する。
ステップＳ７０２では、重要度検知モジュール５２が発表経過状況記録モジュール５１に記憶されている発表経過状況を用いて、そのページの重要度を検知する。
ステップＳ７０３では、プリントアウトの際に操作者による設定を印刷レイアウト決定モジュール５３が受け取る。ここで、設定として、例えば、出力用紙１枚に何ページ分を出力するか、重要度に応じた大きさにするか、各ページ間の関係を明示するか、その他出力用紙サイズ、部数等の一般的なプリントアウトの際に必要とするものがある。
ステップＳ７０４では、印刷レイアウト決定モジュール５３が、ステップＳ７０３で受け取った設定に応じて、出力用紙におけるレイアウトを決定する。
ステップＳ７０５では、ステップＳ７０４で決定されたレイアウトに従って、プリンタ２７によってプリントアウトされる。
【００２３】
図８を参照して、実施の形態の画像処理システムのハードウェア構成例について説明する。図８に示す構成は、例えばパーソナルコンピュータ（ＰＣ）などによって構成される画像処理システムであり、スキャナ等のデータ読み取り部４１７と、プリンタ２７などのデータ出力部４１８を備えたハード構成例を示している。なお、このハードウェア構成は、第１の実施の形態、第２の実施の形態についても適用する。
【００２４】
ＣＰＵ（Ｃｅｎｔｒａｌ  Ｐｒｏｃｅｓｓｉｎｇ  Ｕｎｉｔ）４０１は、上述の実施の形態において説明した各種のモジュール、すなわち、発表時間取得モジュール１２、印刷レイアウト決定モジュール１３等の各モジュールの実行シーケンスを記述したコンピュータ・プログラムに従った処理を実行する制御部である。
【００２５】
ＲＯＭ（Ｒｅａｄ  Ｏｎｌｙ  Ｍｅｍｏｒｙ）４０２は、ＣＰＵ４０１が使用するプログラムや演算パラメータ等を格納する。ＲＡＭ（Ｒａｎｄｏｍ  Ａｃｃｅｓｓ  Ｍｅｍｏｒｙ）４０３は、ＣＰＵ４０１の実行において使用するプログラムや、その実行において適宜変化するパラメータ等を格納する。これらはＣＰＵバスなどから構成されるホストバス４０４により相互に接続されている。
【００２６】
ホストバス４０４は、ブリッジ４０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス４０６に接続されている。
【００２７】
キーボード４０８、マウス等のポインティングデバイス４０９は、操作者により操作される入力デバイスである。ディスプレイ４１０は、液晶表示装置またはＣＲＴ（Ｃａｔｈｏｄｅ  Ｒａｙ  Ｔｕｂｅ）などから成り、各種情報をテキストやイメージ情報として表示する。
【００２８】
ＨＤＤ（Ｈａｒｄ  Ｄｉｓｋ  Ｄｒｉｖｅ）４１１は、ハードディスクを内蔵し、ハードディスクを駆動し、ＣＰＵ４０１によって実行するプログラムや情報を記録または再生させる。ハードディスクには、文書記憶モジュール１１が記憶する発表用電子文書とその属性、発表経過状況記録モジュール５１が記憶する発表時の経過などが格納される。さらに、その他の各種のデータ処理プログラム等、各種コンピュータ・プログラムが格納される。
【００２９】
ドライブ４１２は、装着されている磁気ディスク、光ディスク、光磁気ディスク、または半導体メモリ等のリムーバブル記録媒体４１３に記録されているデータまたはプログラムを読み出して、そのデータまたはプログラムを、インタフェース４０７、外部バス４０６、ブリッジ４０５、およびホストバス４０４を介して接続されているＲＡＭ４０３に供給する。リムーバブル記録媒体４１３も、ハードディスクと同様のデータ記録領域として利用可能である。
【００３０】
接続ポート４１４は、外部接続機器４１５を接続するポートであり、ＵＳＢ、ＩＥＥＥ１３９４等の接続部を持つ。接続ポート４１４は、インタフェース４０７、および外部バス４０６、ブリッジ４０５、ホストバス４０４等を介してＣＰＵ４０１等に接続されている。通信部４１６は、ネットワークに接続され、外部とのデータ通信処理を実行する。データ読み取り部４１７は、例えばスキャナであり、ドキュメントの読み取り処理を実行する。データ出力部４１８は、例えばプリンタ２７であり、ドキュメントデータの出力処理を実行する。
【００３１】
なお、図８に示す画像処理システムのハードウェア構成は、１つの構成例を示すものであり、本実施の形態の画像処理システムは、図８に示す構成に限らず、本実施の形態において説明したモジュールを実行可能な構成であればよい。例えば、一部のモジュールを専用のハードウェア（例えばＡＳＩＣ等）で構成してもよく、一部のモジュールは外部のシステム内にあり通信回線で接続しているような形態でもよく、さらに図８に示すシステムが複数互いに通信回線によって接続されていて互いに協調動作するようにしてもよい。また、複写機、ファックス、スキャナ、プリンタ、複合機（多機能複写機とも呼ばれ、スキャナ、プリンタ、複写機、ファックス等の機能を有している）などに組み込まれていてもよい。
【００３２】
前記実施の形態においては、出力を指示する操作者にかかわらず一定の割り付けを行うようにすることを示したが、出力を指示する操作者に応じて、割り付けを異ならせるようにしてもよい。その場合、発表用電子文書には、その属性として作成者を有しており、その作成者と出力を指示する操作者との関係に応じて、重要度を検知してもよい。
【００３３】
なお、説明したプログラムについては、記録媒体に格納することも可能であり、その場合は、例えば以下の発明としても把握することができる。
コンピュータに、
発表用電子文書のページ毎に発表時間を取得する発表時間取得機能と、
前記発表時間取得機能によって取得した発表時間に応じて、前記発表用電子文書の複数ページの画像を１画像にまとめて出力する際の割り付けを行う割付機能と、
前記割付機能によって割り付けられた画像を出力する出力機能
を実現させることを特徴とする画像処理プログラムを記録したコンピュータ読み取り可能な記録媒体。
【００３４】
コンピュータに、
発表用電子文書を用いて行われた発表について、ページ毎にその発表の経過状況を記録する経過状況記録機能と、
前記経過状況記録機能に記録された経過状況に応じて、前記発表用電子文書のページ毎に重要度を検知する重要度検知機能と、
前記重要度検知機能によって検知された重要度に応じて、前記発表用電子文書の複数ページの画像を１画像にまとめて出力する際の割り付けを行う割付機能と、
前記割付機能によって割り付けられた画像を出力する出力機能
を実現させることを特徴とする画像処理プログラムを記録したコンピュータ読み取り可能な記録媒体。
【００３５】
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、光磁気ディスク（ＭＯ）、フレキシブルディスク（ＦＤ）、磁気テープ、ハードディスク、読出し専用メモリ（ＲＯＭ）、電気的消去および書換可能な読出し専用メモリ（ＥＥＰＲＯＭ）、フラッシュ・メモリ、ランダム・アクセス・メモリ（ＲＡＭ）等が含まれる。
そして、上記のプログラムまたはその一部は、上記記録媒体に記録して保存や流通等させることが可能である。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにはこれらの組合せ等の伝送媒体を用いて伝送することが可能であり、また、搬送波に乗せて搬送することも可能である。
さらに、上記のプログラムは、他のプログラムの一部分であってもよく、あるいは別個のプログラムと共に記録媒体に記録されていてもよい。
【図面の簡単な説明】
【００３６】
【図１】第１の実施の形態の内部ブロックを例示した概略ブロック図である。
【図２】第１の実施の形態における処理を例示したフローチャートである。
【図３】ページ毎に発表時間を記録しているテーブル例である。
【図４】発表用電子文書の複数ページの画像を１画像にまとめて出力する際の割り付け例の説明図である。
【図５】第２の実施の形態が実現されるシステム例の全体的な概略ブロック図である。
【図６】第２の実施の形態の内部ブロックを例示した概略ブロック図である。
【図７】第２の実施の形態における処理を例示したフローチャートである。
【図８】実施の形態を実現するコンピュータのハードウェア構成の一例の説明図である。
【符号の説明】
【００３７】
１１…文書記憶モジュール
１２…発表時間取得モジュール
１３…印刷レイアウト決定モジュール
１４…出力モジュール
２１…スクリーン
２２…ＰＣ
２３…プロジェクタ
２４…発表経過取得サーバー
２５Ａ、２５Ｂ…カメラ
２６Ａ、２６Ｂ…マイク
２７…プリンタ
５１…発表経過状況記録モジュール
５２…重要度検知モジュール
５３…印刷レイアウト決定モジュール
【図１】
2008035384.tif 000003
【図２】
2008035384.tif 000004
【図３】
2008035384.tif 000005
【図４】
2008035384.tif 000006
【図５】
2008035384.tif 000007
【図６】
2008035384.tif 000008
【図７】
2008035384.tif 000009
【図８】
2008035384.tif 000010